(57)【特許請求の範囲】
【請求項１】
表示手段を備える第１の筐体と、
操作手段を備える第２の筐体と、
前記第１の筐体と前記第２の筐体とを連結し、前記第１の筐体と前記第２の筐体とを複数の異なる位置関係とすることが可能な連結部と、
前記位置関係を検出する検出手段と、
前記検出手段によって検出した前記第１の筐体と前記第２の筐体との位置関係に基づいて、該位置関係における前記操作手段の機能と位置を示す表示アイテムを、前記表示手段のうち、前記操作手段の位置に対応する位置に表示するように制御する表示制御手段と
を有し、
前記検出手段が、前記操作手段が露出した状態で前記第２の筐体が前記第１の筐体へ畳まれたことを検出したことに応じて、前記表示制御手段は前記操作手段の機能と位置を示す表示アイテムの表示形態を前記第２の筐体の畳まれた状態を示す第１の表示形態に変更することを特徴とする表示装置。
【請求項２】
前記操作手段が露出した状態で前記第２の筐体が前記第１の筐体へ畳まれた状態は、前記操作手段の配置されている面と前記表示手段の表示面が平行ではない位置関係であり、前記第１の表示形態は、前記操作手段の奥行き方向の位置関係に基づく遠近法を用いた斜視図であることを特徴とする請求項１に記載の表示装置。
【請求項３】
前記検出手段が、前記操作手段が前記第１の筺体に対面した状態で前記第２の筺体が前記第１の筺体へ畳まれたことを検出した場合は、前記表示制御手段は、前記第１の表示形態での表示をしないことを特徴とする請求項２に記載の表示装置。 
【請求項４】
前記表示制御手段が、前記第１の表示形態で前記表示アイテムを前記表示手段に表示させているときに前記操作手段が操作されたことに応じて、前記表示制御手段は前記第１の表示形態を前記検出手段によって検出された前記第１の筐体と前記第２の筐体の位置関係に基づく、前記第１の表示形態に変更する前の表示形態と異なる第２の表示形態に変更することを特徴とする請求項１乃至３の何れか1項に記載の表示装置。
【請求項５】
前記操作手段としての、タッチ操作可能なボタンアイコンが配置されるタッチパネルへのタッチが検出されると、前記表示制御手段は、該タッチパネルがタッチされたことを示す情報を、該タッチが検出された位置に対応する前記表示手段における位置に表示させることを特徴とする、請求項１乃至４の何れか1項に記載の表示装置。
【請求項６】
前記第１の筺体は、撮像手段と、接眼部を介して前記表示手段を視認可能なファインダーとを有し、
前記第２の筺体は、前記撮像手段で撮像された画像を表示可能な、前記表示手段とは異なる第２の表示手段を有することを特徴とする請求項１乃至５の何れか1項に記載の表示装置。
【請求項７】
前記表示手段への表示が行われていない場合は、前記表示制御手段は前記操作手段の機能と位置を示す前記表示アイテムを前記第２の表示手段に表示させ、前記表示手段への表示が行われている場合は、前記表示手段の表示形態とは異なる表示形態で、前記操作手段の機能と位置を示す前記表示アイテムを前記第２の表示手段に表示させることを特徴とする請求項６に記載の表示装置。
【請求項８】
前記第２の表示手段が前記表示手段とは異なる表示形態で前記操作手段の機能と位置を示す前記表示アイテムを表示しているときに前記操作手段が操作されたことに応じて、前記表示制御手段は、前記表示手段および前記第２の表示手段に、前記操作手段の機能と位置を示す前記表示アイテムを同じ表示形態で表示することを特徴とする請求項７に記載の表示装置。
【請求項９】
表示手段を備える第１の筐体と、操作手段を備える第２の筐体と、前記第１の筐体と前記第２の筐体とを連結し、前記第１の筐体と前記第２の筐体とを複数の異なる位置関係とすることが可能な連結部と、前記位置関係を検出する検出手段とを有する表示装置の制御方法であって、
前記検出手段によって検出した前記第１の筐体と前記第２の筐体との位置関係に基づいて、該位置関係における前記操作手段の機能と位置を示す表示アイテムを、前記表示手段のうち、前記操作手段の位置に対応する位置に表示するように制御する表示制御ステップを有し、前記検出手段が、前記操作手段が露出した状態で前記第２の筐体が前記第１の筐体へ畳まれたことを検出したことに応じて、前記表示制御ステップは前記操作手段の機能と位置を示す表示アイテムの表示形態を前記第２の筐体の畳まれた状態を示す第１の表示形態に変更することを特徴とする表示装置の制御方法。
【請求項１０】
コンピュータを、請求項１乃至８のいずれか１項に記載された表示装置の各手段として機能させるためのプログラム。
【請求項１１】
コンピュータを、請求項１乃至８のいずれか１項に記載された表示装置の各手段として機能させるためのプログラムを記憶したコンピュータが読み取り可能な記録媒体。
【発明の詳細な説明】
【技術分野】
【０００１】
本発明は、表示部と操作部とが可動するように互いに連結した表示装置に関する。
【背景技術】
【０００２】
近年、表示部を備える第１の筐体と、操作部を備えた第２の筐体とを、連結部材を介して回動やスライド等の移動ができるように連結した表示装置が普及している。このような表示装置は、例えば折り畳みやスライド可能な携帯電話端末やゲーム機、ＰＤＡ、ノートパソコン、バリアングル液晶パネルを備えたデジタルカメラやデジタルビデオカメラとして利用されている。このような表示装置として、特許文献１には、二つの回転軸によって筐体を縦開きにも横開きにもできる携帯電話端末が提案されている。また特許文献２には、上側ユニットに設けた表示部を視聴し易い角度に設定して、操作部を設けた下側ユニットを台座として、携帯端末を机上等に配置することが出来るようにすることが提案されている。
このような表示装置の筐体の構成によっては、表示部と操作部が同時に視認しづらい、もしくは視認できない位置関係に配置される場合がある。表示装置で表示を確認しながら操作を行うことを容易にするために、表示部に操作部の位置や状態を表す表示を行うことがある（特許文献３）。あるいは、装置の状態によって操作部の機能割り当てが変わる場合に、その時々で操作部にどの機能が割り当てられているかを、操作部の位置や状態とともに表示部に示すことがある。
【先行技術文献】
【特許文献】
【０００３】
【特許文献１】特開２００５-２８６４２５号公報
【特許文献２】特開２００７-１１３６８６号公報
【特許文献３】特開２００８−７０８１７号公報
【発明の概要】
【発明が解決しようとする課題】
【０００４】
しかしながら、上記特許文献３では、連結部を介して表示部に対して操作部が可動するように互いの位置関係が変更可能であるような装置は想定されていなかった。このような装置では、表示部と操作部の位置関係の変化に応じて操作部の位置や状態を表す情報の表示が適切に変更されなければ、表示部の表示を確認しながら操作部の操作を容易に行うことは困難となる問題があった。
【課題を解決するための手段】
【０００５】
上記課題を達成するため、本件発明によれば、表示装置は、表示手段を備える第１の筐体と、操作手段を備える第２の筐体と、第１の筐体と第２の筐体とを連結し、第１の筐体と第２の筐体とを複数の異なる位置関係とすることが可能な連結部と、位置関係を検出する検出手段と、検出手段によって検出した第１の筐体と第２の筐体との位置関係に基づいて、検出された位置関係における操作手段の機能と位置を示す表示アイテムを、表示手段のうち、操作手段の位置に対応する位置に表示するように制御する表示制御手段とを有し、検出手段が、操作手段が露出した状態で第２の筐体が第１の筐体へ畳まれたことを検出したことに応じて、表示制御手段は操作手段の機能と位置を示す表示アイテムの表示形態を第２の筐体の畳まれた状態を示す第１の表示形態に変更する。
【発明の効果】
【０００６】
上記本件発明の表示装置によれば、表示部と操作部の位置関係の変化に応じて、操作部の位置や状態を表す情報の表示を適切に変更することができる。これにより、表示部と、連結部を介して表示部に対して可動である操作部とからなる装置において、表示部の表示を確認しながら操作部の操作を行うことが容易となる。
【図面の簡単な説明】
【０００７】
【図１】第１の実施例に係る表示装置を有するデジタルビデオカメラの外形と表示内容を示す図。
【図２】第１の実施例に係る表示装置を有するデジタルビデオカメラのブロック図。
【図３】第１の実施例に係る表示装置を有するデジタルビデオカメラの制御動作のフローチャートを示す図。
【図４】第２の実施例に係る表示装置を有する携帯電話の外形と表示内容を示す図。
【図５】第２の実施例に係る表示装置を有する携帯電話のブロック図。
【図６】第２の実施例に係る表示装置を有する携帯電話の制御動作のフローチャートを示す図。
【発明を実施するための形態】
【０００８】
第１の実施形態
本実施例では、本件発明に係る表示装置の例としてのデジタルビデオカメラの構成と、該デジタルビデオカメラのカメラモードにおける表示動作について説明する。図１を用いて、デジタルビデオカメラにおける第１の筐体（表示手段としてＥＶＦを有する表示部）と第２の筐体（操作手段としてタッチパネルを有する操作部）との位置関係と、その位置関係における表示手段（ＥＶＦ）の表示内容の例を説明する。図から明らかなように、本実施例に係わるデジタルビデオカメラは、カメラの本体部１０１とそれに回動可能に連結された操作部１０５を有する構成を有し、本体部１０１と操作部１０５との位置関係に応じて、ＥＶＦ１０２とＬＣＤパネル１０７（タッチパネル１０８を備える）に図１に示すような表示が行われる。
【０００９】
最初に、図１に示されている各要素を説明する。
本体部１０１はデジタルビデオカメラの本体部である。本体部１０１は、操作部１０５に関する表示を行うＥＶＦ１０２（第１の表示手段）を備えた筐体（表示部）である。
ＥＶＦ１０２は本体部１０１に配置された表示手段としての電子ビューファインダー（以下「EVF」と記す。）であり、小型LCDパネルとバックライトで構成することが可能である。ＥＶＦパネル１０２は接眼部より覗き込んで利用される。
ＥＶＦボタン１０３はEVF１０２の点灯および消灯を切り替えるボタンである。
録画ボタン１０４はデジタルビデオカメラでの撮影の開始および終了を指示するためのボタンである。
操作部１０５はタッチパネル１０８（タッチセンサー）を備えたＬＣＤパネルが配置された筐体であり、本体部に対してはヒンジ部１０６を介して回動可能に取り付けられている。本実施の形態では、タッチパネル１０５に対するユーザからの各種操作を受付可能であるため、本体部１０１（表示部）に対して操作部１０５と称する。
ヒンジ部１０６は操作部１０５を二軸で可動させる連結部であり、操作部１０５の回転状態を検出するスイッチ(不図示)を備えている。このスイッチにより、筐体である操作部１０５の本体部１０１に対する相対的な位置が検出される。
ＬＣＤパネル１０７は操作部１０５に配置されたＬＣＤパネル（第２の表示手段）である。タッチパネル１０８はLCDパネル１０７に重ねられた（一体化された）タッチパネルである。タッチパネル１０８に対する接触入力（タッチ操作）によって、恰もＬＣＤパネル１０７に表示された表示アイテムに対して直接操作しているかのようなユーザーインターフェースを提供することができる。
ボタンアイコン１０９ｂ〜１１２ｂはそれぞれ、LCDパネル１０７に表示されるボタンアイコンである。タッチパネル１０８のうち、各ボタンアイコンが表示されている位置をタッチすることで、各ボタンアイコンが表す機能を実行することが可能である。ボタンアイコン１０９ｂは設定メニューを開くためのボタンを、ボタンアイコン１１０ｂはフォーカス調整画面を開くためのボタンを、ボタンアイコン１１１ｂは露出調整画面を開くためのボタンを、ボタンアイコン１１２ｂは再生モードに遷移するためのボタンをそれぞれ示している。
表示アイテム１０９ａ〜１１２ａは、タッチパネル１０８においてボタンアイコン１０９ｂ〜１１２ｂが表示されている位置を示すガイドをするための表示アイテムである。これによって、ユーザはＥＶＦ１０２を覗いている場合でも、ＥＶＦ１０２を見るだけでタッチパネル１０８のどの位置をタッチすれば目的とする操作を行えるのかを大まかに把握することができる。
ポインタ１１３はタッチパネル１０８への入力が検出された位置を示す表示アイテムである。タッチパネルにタッチするとＥＶＦ１０２に現在タッチしている位置を示すポインタ１１３を表示するので、ユーザはＥＶＦ１０２を覗いている場合でもタッチパネル１０８のどの位置にタッチしているのかを把握することができる。
立体ガイダンス１１４は、タッチパネル１０８全体とその中のボタンアイコンの配置を、本体部１０１と操作部１０５との相対位置を鑑みて３次元的な斜視画像によって模式的に表した表示アイテムである。立体ガイダンス１１４は実際は２次元表示される表示アイテムであるが、ボタンアイコンの奥行き方向の位置関係までわかるように、遠近法を用いて表された斜視図であり、本体部１０１と操作部１０５との位置関係に応じて遠近感が変わるように変形して表示される。
【００１０】
次に、図１に示されるデジタルビデオカメラの４つの状態とそれぞれにおける表示内容とその表示形態の変更について説明する。図１(a)〜(d)は、それぞれヒンジ部１０６のスイッチ（不図示）によって判定される４つの状態の例である。本ビデオカメラは図１(a)〜(d)のいずれの状態であっても使用することができるが、図１(a)のときはタッチパネル１０８を操作することはできない。EVF１０２は図１(a)〜(d)の４つの状態に関わらず、EVFボタン１０３によって独立して点灯または消灯を切り替えることができる。
【００１１】
図１(a)は、タッチパネル１０８が内側になるように操作部１０５が畳まれた状態を示す。EVF表示画面１２１は図１(a)におけるEVF１０２の表示内容を示している。このときタッチパネル１０８は操作部１０５と本体部１０１に挟まれており操作できないので、EVF表示画面１２１にもボタンの位置を表すガイド表示はされない。図において、参照番号が付されていないが、その他の表示要素として、バッテリーの残量を表すアイコンおよび分表記と、撮影時間を表わすタイムコードが表示されている。しかし、これらの表示要素に限られるわけではなく、他の表示要素を表示していてもよい。
【００１２】
図１(b)は、図１(a)の状態から操作部１０５を９０度開いた状態であり、EVF１０２およびLCDパネル１０７（タッチパネル１０８）の表示面が同じ方向を向いている。EVF表示画面１３１は図１(b)におけるEVF１０２の表示内容を、LCD表示画面１３２は図１(b)におけるLCDパネル１０７の表示内容をそれぞれ示している。ＬＣＤ表示画面１３２に示すように、ＬＣＤパネル１０７にはボタンアイコン１０９ｂ〜１１２ｂが表示され、このボタンアイコン１０９ｂ〜１１２ｂのいずれかをタッチすることで夫々に割り当てられた機能が発動する。このとき、ＥＶＦ１０２にはＥＶＦ表示画面１３１に示すように、LCDパネル１０７に表示されたボタンアイコン１０９ｂ〜１１２ｂの位置を示す表示アイテム１０９ａ〜１１２ａと、バッテリー残量およびタイムコードが表示される。図１（ｂ）の位置関係においては、タッチパネル１０８とＥＶＦ１０２の表示面が同じ方向を向いているため、タッチパネル１０８（ＬＣＤ１０７）に表示されたボタンアイコン１０９ｂ〜１１２ｂと、ＥＶＦ１０２に表示された表示アイテム１０９ａ〜１１２ａとの配置順と配置位置関係は同一としている。また、配置位置もタッチパネル１０８中での相対的な位置とＥＶＦ１０２中の相対的な位置が同じになるようにしている。これにより、ユーザはＥＶＦ１０２を覗き込んでタッチパネル１０８を視認していない場合でもタッチパネル１０８に対するタッチ操作を行うことができる。
【００１３】
図１(c)は、図１(b)の状態から操作部１０５をヒンジ部１０６の周りに１８０度回転した状態を示し、EVF１０２およびLCDパネル１０７（タッチパネル１０８）の表示面が互いに反対側を向いている。EVF表示画面１４１は図１(c)におけるEVF１０２の表示内容を、LCD表示画面１４２は図１(c)におけるLCDパネル１０７の表示内容をそれぞれ示している。EVF表示画面１４１とLCD表示画面１４２とでは、各ボタンアイコン１０９ｂ〜１１２ｂをＬＣＤパネル１０７の表示面側から見た表示位置と、各ボタンアイコンに夫々対応する表示アイテム１０９ａ〜１１２ａをＥＶＦ１０２の表示面側から見た表示位置とが、左右対称となるように表示されている。すなわち、タッチパネル１０８（ＬＣＤ１０７）の背面から見たボタンアイコン１０９ｂ〜１１２ｂの配置位置と、ＥＶＦ１０２を正面から見た表示アイテム１０９ａ〜１１２ａとの配置位置の関係（配置順と画面内の相対位置）が同一となるように表示している。したがって、EVF１０２を覗きながらタッチパネル１０８を操作する際にも、反対側を向いているタッチパネル１０８上の各ボタンアイコンと、ＥＶＦ１０２に表示された表示アイテムとの配置位置の関係が一致する。よってユーザはＥＶＦ１０２を覗きながらタッチパネル１０８への操作を行うことができる。なお、タッチパネル１０８が指やスタイラス等の接触を検出したら、EVF１０２にはEVF表示画面１４３のように、接触位置を表すアイコン１１３が表示される。タッチパネル１０８はEVF１０２を覗いている操作者からは直接見えないが、このアイコン１１３によって操作された位置を分かりやすく示すことができる。すなわち操作者がタッチパネルを見られないことによる手探り感を軽減することが可能となる。また、図１(a)、４(b)と同様に、他の表示要素として、バッテリー残量およびタイムコードも表示される。
【００１４】
図１(d)は図１(c)の状態から操作部１０５を９０度畳んだ状態であり、畳まれた操作部１０５に備えられたLCDパネル１０７の表示面が外側を向いている。EVF表示画面１５１は図１(d)におけるEVF１０２の表示内容を示している。EVF１０２の表示面とタッチパネル１０８（ＬＣＤパネル１０７）の表示面は互いに垂直な位置関係となっている。そのため、ＥＶＦ表示画面１５１に立体ガイダンス１１４を表示し、タッチパネル１０８全体とその中のボタンアイコンの配置を３次元的な画像で表現している。このため、ユーザはEVF１０２を覗いていてもタッチパネル上のボタンの位置がイメージしやすい。なお、タッチパネル１０８はEVF１０２を覗く方向から見て左側に位置しているため、その案内表示である立体ガイダンス１１４もEVF１０２の画面内の左側に位置している。一方、LCDパネル１０７に表示されたボタンアイコンはタッチしてもすぐには機能が発動しない状態とし、LCD表示画面１５２に示すようにグレーアウトした表示状態となっている。このようにすることで、ＥＶＦ１０２の表示面とタッチパネル１０８の表示面とが異なる方向を向いていることに起因する不用意なタッチでのご操作を防止する。この状態で指やスタイラス等のタッチパネル１０８に対する接触を検出したら、EVF１０２の表示内容はEVF表示画面１５３に、LCDパネル１０７の表示内容はLCD表示画面１５４にそれぞれ変化する。そして、タッチパネル１０８はボタンアイコン１０９ｂ〜１１２ｂに対する操作を受け付ける状態となる。すなわち、LCD表示画面１５２でグレーアウトしていた各ボタンアイコンを、LCD表示画面１５４ではグレーアウトせずに表示する。また、EVF表示画面１５１では立体ガイダンス１１４で立体的にボタンアイコンの位置を示していたが、EVF表示画面１５３では図１（ｂ）と同じ表示内容とし、平面的に各ボタンアイコンの位置を示す。アイコン１１３はこのときタッチパネル１０８が接触を検出した位置を表しており、引き続き操作されればその都度表示位置が更新される。操作されないまま所定時間が経過すると、EVF１０２の表示内容はＥＶＦ表示画面１５３からEVF表示画面１５１へ、LCDパネル１０７の表示内容はLCD表示画面１５４からLCD表示画面１５２へそれぞれ戻る。いずれの画面においても、図１(a)、(b)、(c)と同様に、他の表示要素としてバッテリー残量およびタイムコードが表示されている。
【００１５】
ところで、図１(d)のときはタッチパネル１０８さえ機能していれば、必ずしもLCDパネル１０７のバックライトは点灯していなくてもよい。点灯していない場合は、EVFボタン１０３が押下されEVF１０２が消灯されたら、LCDパネル１０７は直ちに点灯し、LCD表示画面１５４が表示される構成としてもよい。
【００１６】
続いて、図２に、本実施形態におけるデジタルビデオカメラの構成要素を表すブロック図を示す。なお、図１に示されている構成要素と同じ構成要素には同一の番号を付し、その説明は省略する。
レンズ２０１はレンズであり、撮像センサ２０２はレンズで集めた光を電気的な映像信号に変換する撮像センサである。
映像処理部２０３は、撮像センサ２０２からの映像信号を最適に加工する映像処理部である。
ＣＰＵ２０４は、本ビデオカメラ全体の動作を司るCPUである。特に、EVFボタン１０３の押下やヒンジ部１０６内のLCD位置検出スイッチの状態を取得することはCPU２０４による制御によって行われる。また、タッチパネルの入力の取得、取得情報に応じたEVF１０２やLCDパネル１０７の点灯／消灯の切り替え、ボタン等の画面表示指示を後述の表示制御部に与えることもCPU２０４による制御によって行われる。
エンコーダ・デコーダ部２０５は、映像処理部２０３から出力された映像信号をエンコードしたり、エンコードされた映像データをデコードしたりするためのエンコーダ・デコーダ部である。
動画記憶部２０６は、エンコードされた映像データを記憶するための記憶媒体である。動画のほかに静止画等も記憶される。
一時記憶部２０７は、映像処理部２０３、CPU２０４および後述する表示制御部２０９のワーク領域として利用される一時記憶部である。
プログラム・データ記憶部２０８は、CPUの使用するプログラムやデータが記憶されたプログラム・データ記憶部である。
表示制御部２０９は、EVF１０２およびLCDパネル１０７に表示する映像信号をそれぞれ生成するための表示制御部である。
【００１７】
図２においては、上記で説明した２０１〜２０９の構成要素およびEVF１０２およびEVFボタン１０３および録画ボタン１０４が本体部１０１に含まれる。LCDパネル１０７およびタッチパネル１０８は操作部１０５に含まれ、本体部１０１と操作部１０５の間にヒンジ部１０６が存在している。しかし、EVF１０２およびヒンジ部１０６およびLCDパネル１０７およびタッチパネル１０８を除く構成要素は、本体部１０１あるいは操作部１０５のいずれに存在してもかまわない。例えば、録画ボタン１０４は本体部１０２ではなく操作部１０５内に取り付けられてもかまわない。あるいは、表示制御部２０９が２つ存在し、一方が本体部１０１内でEVF１０２を制御し、もう一方が操作部１０５内でLCDパネル１０７を制御するような構成であってもかまわない。
【００１８】
次に、図３について説明する。図３は、本実施例においてCPU２０４が各構成要素を制御する動作を示したフローチャートである。CPU２０４はこのフローで表されたプログラムおよびデータをプログラム・データ記憶部２０８から読み出し、一時記憶部２０７に展開して実行する。また、このフロー内に含まれる表示命令はいずれも次のような過程を経て成立する。CPU２０４が一時記憶部２０７内に定義された表示フレームメモリ領域にボタン等の画面要素を表すデータを書き込み、それを表示制御部２０９が読み出す。次いで、読み出したデータに基づいてEVF１０２およびLCDパネル１０７に適切な映像信号を出力する過程である。
【００１９】
Ｓ３００は初期化処理である。変数counterに初期値０を代入している。
Ｓ３０１では、EVFボタン１０３が押されたか否かを判定する（点灯検出手段）。EVFボタン１０３が押されていればＳ３０２に進み、ＥＶＦボタン１０３が押下されていなければＳ３０５に進む。
Ｓ３０２では、EVF１０２が点灯中であるか否かを判定する。点灯していないと判定した場合はＳ３０３に進んでＥＶＦ１０２を点灯し、Ｓ３０２で点灯していると判定した場合はＳ３０４に進み、ＥＶＦ１０２を消灯する。
Ｓ３０５、Ｓ３０７、Ｓ３１０では、操作部１０５と本体部１０１との位置関係がどうなっているかを判定する。
Ｓ３０５では、操作部１０５が図１(a)の状態であるか否かを判定し、図１(a)の状態であればＳ３０６に進んで、EVF１０２に図１（ａ）のEVF表示画面１２１の表示内容を表示する。
Ｓ３０７では、操作部１０５が図１(b)の状態であるか否かを判定し、図１(b)の状態であればＳ３０８に進んでEVF１０２に図１（ｂ）のEVF表示画面１３１の表示内容を表示し、さらにＳ３０９でLCDパネル１０７に図１（ｂ）のLCD表示画面１３２の表示内容を表示する。
【００２０】
Ｓ３１０では、操作部１０５が図１(c)の状態であるか否かを判定し、図１(c)の状態であればＳ３１１に進み、そうでなければＳ３１５に進む。
Ｓ３１１では、タッチパネル１０８に対する指やスタイラス等の接触入力を受け付けたか否かを判定する。接触入力を受けていれば、Ｓ３１３に進み、EVF１０２に図１（c）のＥＶＦ表示画面１４３の表示内容を表示し、接触入力を受けていなければＳ３１２に進み、図１（c）のEVF表示画面１４１の表示内容をEVF１０２に表示する。いずれの場合も、続くＳ３１４でLCDパネル１０７に図１のLCD表示画面１４２の表示内容を表示する。
【００２１】
Ｓ３１０の分岐判断結果が「no」である場合、操作部１０５は図１(d)の状態であると判断できる。その場合、まずＳ３１５でEVF１０２が点灯中であるか否かを判定し、点灯していなければＳ３１６でLCDパネル１０７に図１(d)のLCD表示画面１５４の表示内容を表示する。
【００２２】
Ｓ３１５でEVF１０２が点灯中と判定した場合は、Ｓ３１７でタッチパネル１０８が指やスタイラス等の接触による入力を受け付けたか否かを判定する。接触入力があると判定した場合はＳ３１８で変数counterに所定時間の値xを代入する。値xは、EVF１０２とLCDパネル１０７の表示切替期間を判断するためのカウンタ値として適宜設定される値であり、後述するようにＳ３２２でデクリメントされてタッチパネルへの入力の受付なしの期間の計測を実現する。
【００２３】
Ｓ３１９では変数counterの値が０であるか否かを判定する。値が０でないと判定するとＳ３２０に進み、値が０であると判定するとＳ３２３に進む。
Ｓ３２０では、EVF１０２に図１(d)のEVF表示画面１５３の表示内容を表示し、さらにＳ３２１でLCDパネル１０７に図１(d)のLCD表示画面１５４の表示内容を表示する。その後、Ｓ３２２で変数counterをデクリメントする。
Ｓ３２３では、EVF１０２に図１(d)のEVF表示画面１５１の表示内容を表示し、さらにＳ３２４でLCDパネル１０７に図１(d)のLCD表示画面１５２の表示内容を表示する。
【００２４】
以上の処理により、デシタルビデオカメラの操作部と本体部がいずれの位置関係であっても、ＥＶＦ１０２の表示を見てタッチパネル１０８に配置されたボタンアイコンの位置を把握することができる。また、EVF１０２が消灯していても、LCDパネル１０７が露出していればその表示を確認することができるので、操作部の操作を容易に行うことができる。
【００２５】
第２の実施形態
本実施例では、本発明に係る表示装置を携帯電話に適用した例を説明する。特にEメール作成時の動作について説明する。なお、本実施例の携帯電話は、本体部に対してLCDパネル部が２つの方向に開くヒンジ部を備えている構成を有している。  
【００２６】
図４は、携帯電話のLCDパネル部が開いた状態のときの外形と、それぞれの状態における表示内容の例を表している。
まず、図４に示される各要素について説明する。表示部４０１は、第１の表示手段としてのＬＣＤパネル４０２を備える第１の筐体であり、第１の実施形態の本体部１０１に相当する。操作部４０３は各種操作ボタンを備える第２の筐体であり、第１の実施形態の操作部１０５に相当する。表示部４０１と操作部４０３はヒンジ部４０４によって回動可能に連結されている。ヒンジ部４０４は表示部４０１と操作部４０３とを２軸で回動可能に連結している。これによって表示部４０１と操作部４０３とは図４（ａ）と図４（ｂ）の位置関係とすることが可能であるが、いずれの位置関係となっているかを検出する位置検出スイッチを備えており、いずれの位置関係となっているかは検出可能である。記号Ａと記号ＢはＬＣＤパネル４０２における固定点を示している。図４（ａ）における記号Ａの位置と図４（ｂ）における記号Ａの位置はＬＣＤパネル４０２における同一の位置である。同様に、図４（ａ）における記号Ｂの位置と図４（ｂ）における記号Ｂの位置はＬＣＤパネル４０２における同一の位置である。
ボタン４０５〜４０７はそれぞれ操作部４０３に備えられた操作部材であり、ボタン４０５には入力の文字種を切り替える機能、ボタン４０６には入力を確定する機能、ボタン４０７にはサブメニューを開く機能がそれぞれ割り当てられている。
表示アイテム４０８〜４１０はそれぞれLCDパネル４０２上に表示される表示アイテムであり、ボタン４０５〜４０７の機能と位置をそれぞれ示しているガイド表示である。
【００２７】
次に、図４で表された携帯電話の２つの状態とそれぞれの表示内容とその表示形態の変更について説明する。
【００２８】
図４(a)は表示部４０１と操作部４０３が、短辺を接するようにして開かれた状態である。表示画面４ａは図４(a)の状態におけるLCDパネル４０２の表示内容を示している。ここで、ボタンの位置を示すガイド表示は、ボタン操作の補助情報となるために、できるだけそのボタンの近傍に表示されることが望ましい。そのため本実施の形態では、LCDパネル４０２上の表示アイテム４０８〜４１０は、LCDパネル４０２の表示面のうちボタン４０５〜４０７に最も近い位置に表示され、それぞれの機能と配置位置関係を示している。すなわち、ボタン４０５に最も近い位置にボタン４０５の機能を示す表示アイテム４０８を、ボタン４０６に最も近い位置にボタン４０６の機能を示す表示アイテム４０９を、ボタン４０７に最も近い位置にボタン４０７の機能を示す表示アイテム４１０を表示する。従って記号Ａの位置から記号Ｂの位置に向かう方向においては、表示アイテム４０８、４０９、４１０の順で配置される。なお、図では参照番号を付していないが、表示内容のその他の要素として、画面の内容を表すタイトル文字列、編集中のメール文書、編集位置を表すカーソルが表示されている。しかし、これらに限るものではなく、他の表示要素を表示することも可能である。
【００２９】
図４(b)は表示部４０１と操作部４０３が、長辺を接するようにして開かれた状態である。表示画面４bは図４(b)におけるLCDパネル４０２の表示内容を示している。LCDパネル４０２上の表示アイテム４０８〜４１０は、図４(a)の状態と同様にボタン４０５〜４０７の機能と位置をそれぞれ示しており、表示アイテム４０８〜４１０はボタン４０５〜４０７に近い位置に表示されている。また、配置順がボタン４０５〜ボタン４０７の配置順に対応した配置順となっており、位置Ａから位置Ｂに向かう方向では、表示アイテム４１０、４０９、４０８の順に配置して表示される。すなわち図４（ａ）とは異なる配置順である。表示内容のその他の要素として、図４(a)と同じく、タイトル文字列、メール文書、カーソルが表示されている。この場合も、これらの表示要素に限るものではなく、他の表示要素を表示することも可能である。
【００３０】
続いて、図５に本実施形態における携帯電話の構成要素を表すブロック図を示す。図４に示されている構成要素と同じ構成要素には同じ参照番号を付し、その説明は省略する。
アンテナ５０１は無線通信（電話通信を含む）のためのアンテナである。
無線制御部５０２はアンテナ５０１で送受信するアナログ波をデジタルデータに変換する無線制御部である。
ＣＰＵ５０３は、本携帯電話全体の動作を司るCPUである。特に、ボタン４０５〜４０７を含むボタン群の押下やヒンジ部４０４内の位置検出スイッチの状態を検出したり、表示アイテム４０８〜４１０として前述したボタンガイド等の画面表示指示を後述の表示制御部５０９に与えたりするのは、いずれもCPU５０３の制御による。
一時記憶部５０４は、無線制御部５０２やCPU５０３、後述する音声制御部５０６および表示制御部５０９の作業領域として利用される一時記憶部である。
プログラム・データ記憶部５０５は、CPU５０３の使用するプログラムやデータが記憶されたプログラム・データ記憶部である。
音声制御部５０６は、音声通話や着信音などの機能において音声データと音声波形を相互変換するための音声制御部であり、マイク５０７とスピーカ５０８が接続されている。
表示制御部５０９は、LCDパネル４０２に表示する映像信号をそれぞれ生成するための表示制御部である。
【００３１】
図５においては、上記で説明した５０１〜５０９の構成要素およびボタン４０５〜４０７が操作部４０３に含まれ、LCDパネル４０２が表示部４０１に含まれ、操作部４０３と表示部４０１の間にヒンジ部４０４が介在している。しかし、LCDパネル４０２、ヒンジ部４０４およびボタン群のうちのボタン４０５〜４０７を除く構成要素は、操作部４０３あるいは表示部４０１のいずれに存在してもかまわない。例えば、アンテナ５０１および無線制御部５０２は操作部４０３ではなく表示部４０１内に取り付けられてもかまわない。あるいは、表示制御部５０９が表示部４０１内に含めてもかまわない。
【００３２】
次に、図６について説明する。図６は、本実施例においてCPU５０３が図５に示す各構成要素を制御する動作を示したフローチャートである。CPU５０３はこのフローが表されたプログラムおよびデータをプログラム・データ記憶部５０５から読み出し、一時記憶部５０４に展開して実行する。また、このフロー内に含まれる表示命令はいずれも次の過程により成立する。CPU５０３が一時記憶部５０４内に定義された表示フレームメモリ領域にボタンガイド等の表示内容要素を表すデータを書き込み、それを表示制御部５０９が読み出す。そして、読み出したデータに基づいてLCDパネル４０２に適切な映像信号を出力する過程である。
【００３３】
Ｓ６０１、Ｓ６０３はいずれも表示部４０１と操作部４０３との位置関係を、ヒンジ部４０４に含まれる位置検出スイッチからの信号により判定する。
Ｓ６０１では表示部４０１と操作部４０３との位置関係が図４(a)の状態であるか否かを判定し、図４(a)の状態であればＳ６０２でＬＣＤパネル４０２に図４の表示画面４ａの表示内容を表示する。
Ｓ６０３は表示部４０１と操作部４０３との位置関係が図４(b)の状態であるかを判断し、図４(b)の状態であればＳ６０４でLCDパネル４０２に図４の表示画面４bの表示内容を表示する。すなわち、位置検出手段によって検出された表示部の表示面と筐体表面との位置関係に基づいて、操作部のガイドとして表示する表示アイテムの表示位置を決定している。
Ｓ６０３で図４(b)の状態でないと判断したときは、表示部４０１の表示面が操作部４０３の操作面と対面して重なるように折りたたまれた状態(不図示)であるとみなしている。そのような状態のときLCDパネル４０２は外側に露出しないので、表示制御は行わない。
【００３４】
以上説明した処理によって、表示部４０１と操作部４０３の位置関係が図４のいずれの状態であっても、ボタン４０５〜４０７のガイド表示である表示アイテム４０８〜４１０が、LCDパネル４０２のうちボタン４０５〜４０７に近い位置に表示される。また、表示アイテムの配置順は、ボタンの配置順に対応した順となっている。このためユーザは、表示アイテム４０８〜４１０を確認することで、ボタン４０５〜４０７に割り当てられた機能と各ボタンの位置を、より容易に、より確実に認識することができる。
【００３５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。特に、ＣＰＵによる装置全体の制御は、１つのハードウェアで行ってもよいし、複数のハードウェアが処理を分担することでおこなっていてもよい。
【００３６】
また、上述した実施形態においては、本発明をデジタルビデオカメラおよび携帯電話に適用した場合を例にして説明したが、本件発明はこれらの例に限定されない。すなわち、本発明は、表示部と操作部とが可動するように互いに連結される表示装置であれば適用可能である。例えば、バリアングルモニタを有するデジタルスチルカメラ、携帯型の画像ビューワ、ゲーム機、デジタルフォトフレーム等の表示装置にも本発明は適用可能である。連結の仕方は上述の各実施形態で説明した回動可能に連結されたものとスライドするように連結されるものに限らず、他の連結の仕方でもよい。例えば、一旦操作部と表示部とを取り外してから位置関係を変更して連結する着脱自在なものでも良い。
【００３７】
（他の実施形態）
本発明は、以下の処理を実行することによっても実現される。即ち、上述の実施形態の機能を実現するソフトウェアのプログラムを、記録媒体から直接、或いは有線／無線通信を用いてプログラムを実行可能な表示装置を有するシステム又は装置に供給し、そのプログラムを実行する場合も本発明に含む。従って、本発明の機能処理を装置で実現するために、該装置に供給、インストールされるプログラムコード自体も本発明を実現するものである。つまり、本発明の機能処理を実現するためのコンピュータプログラム自体も本発明に含まれる。
その場合、プログラムの機能を有していれば、オブジェクトコード、インタプリタにより実行されるプログラム、ＯＳに供給するスクリプトデータ等、プログラムの形態を問わない。
プログラムを供給するための記録媒体としては、例えば、ハードディスク、磁気テープ等の磁気記録媒体、光／光磁気記憶媒体、不揮発性の半導体メモリでもよい。
また、プログラムの供給方法としては、コンピュータネットワーク上のサーバに本発明を形成するコンピュータプログラムを記憶し、接続のあった装置がコンピュータプログラムをダウンロードしてプログラムするような方法も考えられる。
【図１】
0005524685.tif 000002
【図２】
0005524685.tif 000003
【図３】
0005524685.tif 000004
【図４】
0005524685.tif 000005
【図５】
0005524685.tif 000006
【図６】
0005524685.tif 000007